(57)【要約】【課題】信号レベル調整装置が様々な設置態様で設置された場合でも、当該信号レベル調整装置の所定の表示手段の表示態様を視認することが可能となる、信号レベル調整装置を提供すること。【解決手段】信号レベル調整装置１は、筐体１０と、当該信号レベル調整装置１における放送用信号の入力状態を表示する第１の表示部２０と、当該放送用信号の出力状態を表示する第２の表示部２１と、第１の表示部２０から入射された入射光Ｌを、第１の方向に沿って進行する第１の光Ｌ１として透過し、第１の方向とは異なる第２の方向に沿って進行する第２の光Ｌ２として反射するハーフミラー１３と、筐体１０に設けられた光ガイド部１１ｄであって、ハーフミラー１３にて透過された第１の光Ｌ１を第１の方向に沿って筐体１０の外部に出射させると共に、ハーフミラー１３にて反射された第２の光Ｌ２を第２の方向に沿って筐体１０の外部に出射させるための光ガイド部１１ｄとを備える。【選択図】図４
2014045340.tif 000002
【特許請求の範囲】
【請求項１】
放送局から送信される放送用信号の信号レベルを調整する信号レベル調整装置であって、
筐体と、
当該信号レベル調整装置における前記放送用信号の入力状態又は出力状態の少なくとも一方に関する表示を行う表示手段と、
前記表示手段から入射された光を、第１の方向に沿って進行する第１の光と、前記第１の方向とは異なる第２の方向に沿って進行する第２の光とに分割する光分割手段と、
前記筐体に設けられた光ガイド手段であって、前記光分割手段にて分割された前記第１の光を前記第１の方向に沿って前記筐体の外部に出射させると共に、前記光分割手段にて分割された前記第２の光を前記第２の方向に沿って前記筐体の外部に出射させるための光ガイド手段と、
を備える信号レベル調整装置。
【請求項２】
当該信号レベル調整装置は、
前記筐体の側面のうち前記光ガイド手段が設けられた側面が当該信号レベル調整装置の下方向を向くように、当該信号レベル調整装置が設置対象に対して固定された第１の固定状態と、
前記筐体の側面のうち前記光ガイド手段が設けられた側面が前記下方向以外の方向を向くように、当該信号レベル調整装置が設置対象に対して固定された第２の固定状態と、を取り得るものであり、
前記第１の固定状態における前記第１の方向と、前記第２の固定状態における前記第２の方向とを、前記下方向とした、
請求項１に記載の信号レベル調整装置。
【請求項３】
前記光分割手段は、ハーフミラーであり、
前記光ガイド手段は、
前記ハーフミラーにて透過された前記第１の光を前記第１の方向に沿って前記筐体の外部に出射させるための第１の光出射口と、
前記ハーフミラーにて反射された前記第２の光を前記第２の方向に沿って前記筐体の外部に出射させるための第２の光出射口と、を備えた、
請求項１又は２に記載の信号レベル調整装置。
【請求項４】
前記光分割手段は、前記光ガイド手段における光の出射側の端部を切り欠くことにより形成された切欠部であり、
前記光ガイド手段は、
当該光ガイド手段にて導光された前記第１の光を前記第１の方向に沿って前記筐体の外部に出射させると共に、前記切欠部にて反射された前記第２の光を前記第２の方向に沿って前記筐体の外部に出射させるための光出射口を備えた、
請求項１又は２に記載の信号レベル調整装置。
【請求項５】
前記第１の光の向き又は前記第２の光の向きが変更可能となるように、前記光ガイド手段を前記筐体に対して固定した、
請求項１から４のいずれか一項に記載の信号レベル調整装置。
【発明の詳細な説明】
【技術分野】
【０００１】
本発明は、信号レベル調整装置に関する。
【背景技術】
【０００２】
地上デジタルテレビ放送を、ビル陰、山間部、地下空間、あるいは建物内部で視聴可能とするための信号レベル調整装置が普及している。この信号レベル調整装置は、電柱等の比較的高い場所に設置されており、放送局から放送用信号を受信する受信アンテナと、信号レベル調整装置から出力された放送用信号を送信する送信アンテナとに接続されている。また、この信号レベル調整装置は、概略的には、受信アンテナにて受信された放送用信号の信号レベルを一定値に調整する調整ユニットを備えている。このような構成により、放送局から送信された放送用信号を一旦受信して、この放送用信号に対して所要の調整を行った後、視聴対象空間に向けて放送用信号を再送信することができる（例えば、特許文献１参照）。
【先行技術文献】
【特許文献】
【０００３】
【特許文献１】特開２０１０−２５１８４５号公報
【発明の概要】
【発明が解決しようとする課題】
【０００４】
ここで、作業者が信号レベル調整装置の故障の有無を簡易に調べることができるように、この信号レベル調整装置の筐体に、調整ユニットにおける放送用信号の入力状態又は出力状態を表示する表示部が設けられることが想定される。具体的には、この表示部は、信号レベル調整装置の筐体の一部において、当該筐体の外部から露出された状態で配置されることが考えられる。これにより、例えば、表示部がこの信号レベル調整装置の下面側に位置するように、当該信号レベル調整装置が設置された場合には、当該信号レベル調整装置が電柱等の比較的高い場所に設置されたとしても、作業者は地上から表示部を介して放送用信号の入力状態又は出力状態を視認することができる。
【０００５】
しかしながら、この信号レベル調整装置は様々な設置態様で設置できることからすると、例えば、表示部が当該信号レベル調整装置の左面側又は右面側に位置するように、当該信号レベル調整装置が設置された場合には、地上から表示部の入力状態又は出力状態を視認することが困難となる。そのため、作業者が地上から表示部の表示態様を視認する意義が失われるおそれがあった。
【０００６】
本発明は、上記に鑑みてなされたものであって、信号レベル調整装置が様々な設置態様で設置された場合でも、当該信号レベル調整装置の所定の表示手段の表示態様を視認することが可能となる、信号レベル調整装置を提供することを目的とする。
【課題を解決するための手段】
【０００７】
上述した課題を解決し、目的を達成するために、請求項１に記載の信号レベル調整装置は、放送局から送信される放送用信号の信号レベルを調整する信号レベル調整装置であって、筐体と、当該信号レベル調整装置における前記放送用信号の入力状態又は出力状態の少なくとも一方に関する表示を行う表示手段と、前記表示手段から入射された光を、第１の方向に沿って進行する第１の光と、前記第１の方向とは異なる第２の方向に沿って進行する第２の光とに分割する光分割手段と、前記筐体に設けられた光ガイド手段であって、前記光分割手段にて分割された前記第１の光を前記第１の方向に沿って前記筐体の外部に出射させると共に、前記光分割手段にて分割された前記第２の光を前記第２の方向に沿って前記筐体の外部に出射させるための光ガイド手段とを備えている。
【０００８】
また、請求項２に記載の信号レベル調整装置は、請求項１に記載の信号レベル調整装置において、当該信号レベル調整装置は、前記筐体の側面のうち前記光ガイド手段が設けられた側面が当該信号レベル調整装置の下方向を向くように、当該信号レベル調整装置が設置対象に対して固定された第１の固定状態と、前記筐体の側面のうち前記光ガイド手段が設けられた側面が前記下方向以外の方向を向くように、当該信号レベル調整装置が設置対象に対して固定された第２の固定状態と、を取り得るものであり、前記第１の固定状態における前記第１の方向と、前記第２の固定状態における前記第２の方向とを、前記下方向としている。
【０００９】
また、請求項３に記載の信号レベル調整装置は、請求項１又は２に記載の信号レベル調整装置において、前記光分割手段は、ハーフミラーであり、前記光ガイド手段は、前記ハーフミラーにて透過された前記第１の光を前記第１の方向に沿って前記筐体の外部に出射させるための第１の光出射口と、前記ハーフミラーにて反射された前記第２の光を前記第２の方向に沿って前記筐体の外部に出射させるための第２の光出射口と、を備えている。
【００１０】
また、請求項４に記載の信号レベル調整装置は、請求項１又は２に記載の信号レベル調整装置において、前記光分割手段は、前記光ガイド手段における光の出射側の端部を切り欠くことにより形成された切欠部であり、前記光ガイド手段は、当該光ガイド手段にて導光された前記第１の光を前記第１の方向に沿って前記筐体の外部に出射させると共に、前記切欠部にて反射された前記第２の光を前記第２の方向に沿って前記筐体の外部に出射させるための光出射口を備えている。
【００１１】
また、請求項５に記載の信号レベル調整装置は、請求項１から４のいずれか一項に記載の信号レベル調整装置において、前記第１の光の向き又は前記第２の光の向きが変更可能となるように、前記光ガイド手段を前記筐体に対して固定している。
【発明の効果】
【００１２】
請求項１に記載の信号レベル調整装置によれば、光ガイド手段は、光分割手段にて分割された第１の光を第１の方向に沿って筐体の外部に出射させると共に、光分割手段にて分割された第２の光を前記第２の方向に沿って筐体の外部に出射させるので、第１の光を第１の方向に沿って筐体の外部に出射させることができると共に、第２の光を第２の方向に沿って筐体の外部に出射させることができる。これにより、信号レベル調整装置が様々な設置態様で設置された場合でも、作業者は表示手段の表示態様を視認することができる。
【００１３】
また、請求項２に記載の信号レベル調整装置によれば、第１の固定状態における第１の方向と、第２の固定状態における第２の方向とを、当該信号レベル調整装置の下方向としたので、第１の固定状態又は第２の固定状態の取り付け方法によって信号レベル調整装置が高所に設置された場合でも、作業者は地上から表示手段の表示態様を視認することができ、信号レベル調整装置の故障の有無を簡易に調べることができる。
【００１４】
また、請求項３に記載の信号レベル調整装置によれば、光分割手段は、ハーフミラーであるので、表示手段から入射された光を、第１の光と、第２の光とに効果的に分割することができる。また、光ガイド手段は、第１の光出射口と、第２の光出射口とを備えているので、第１の光出射口から第１の光を筐体の外部に出射させることができると共に、第２の光出射口から第２の光を筐体の外部に出射させることができる。
【００１５】
また、請求項４に記載の信号レベル調整装置によれば、光分割手段は、光ガイド手段における光の出射側の端部を切り欠くことにより形成された切欠部であるので、光ガイド手段と光分割手段とを一体構造にすることができる。よって、光分割手段の取り付け作業を省くことができ、信号レベル調整装置の組立を一層簡易に行うことができる。また、光ガイド手段は、光出射口を備えているので、光出射口から第１の光及び第２の光を筐体の外部に出射させることができ、ハーフミラーを用いた構造に比べて、光ガイド手段を簡易な構造にすることができる。
【００１６】
また、請求項５に記載の信号レベル調整装置によれば、第１の光の向き又は第２の光の向きが変更可能となるように、光ガイド手段を筐体に対して固定したので、信号レベル調整装置の設置方向に応じて、第１の光の向き又は第２の光の向きを容易に変更することが可能となり、信号レベル調整装置の設置方向に応じた最適な向きで光ガイド手段の光を外部に出射させることが可能になる。
【図面の簡単な説明】
【００１７】
【図１】ワイヤに取り付けられた実施の形態１に係る信号レベル調整装置を示す図であり、（ａ）は正面図、（ｂ）は底面図、（ｃ）左側面図である。
【図２】図１の筐体が開けられた状態を示す図である。
【図３】図２における領域Ａの拡大図である。
【図４】図２における領域Ｂの拡大図（一部破断）である。
【図５】横置き状態で設置柱に取り付けられた信号レベル調整装置を示す左側面図である。
【図６】縦置き状態で設置柱に取り付けられた信号レベル調整装置を示す左側面図である。
【図７】実施の形態２に係る図２における領域Ｂの拡大図（一部破断）である。
【発明を実施するための形態】
【００１８】
以下に添付図面を参照して、この発明に係る信号レベル調整装置に係る各実施の形態を詳細に説明する。最初に、信号レベル調整装置の構成を説明し、次に、この信号レベル調整装置が実行する処理について説明し、最後に各実施の形態に対する変形例について説明する。ただし、これら各実施の形態によって本発明が限定されるものではない。ここで、信号レベル調整装置は、ＴＶ放送の放送システムにおいて、放送電波を入力信号として受信し、これに信号レベル調整を含む所定の処理を施して出力信号を生成する機能を備えるものであり、例えばギャップフィラー、ギャップフィラーシステム、又はチャンネルレベルコントローラ等が該当する。また、各実施の形態に係る信号レベル調整装置が設置対象は任意であるが、以下では、設置対象が電柱、灯柱、標識柱等の柱（以下、当該柱を「設置柱」と称する）である場合と、設置対象がワイヤである場合とについて説明する。
【００１９】
〔実施の形態１〕
最初に、実施の形態１について説明する。この形態は、光分割手段がハーフミラーである形態である。
【００２０】
（構成）
まず、信号レベル調整装置の構成について説明する。図１は、ワイヤ（メッセンジャーワイヤ）に取り付けられた実施の形態１に係る信号レベル調整装置を示す図であり、（ａ）は正面図、（ｂ）は底面図、（ｃ）左側面図である。図２は、図１の筐体が開けられた状態を示す図である。なお、以下の説明においては、図１のＸ方向を左右方向、図１のＹ方向を上下方向、図１のＺ方向を前後方向とする。
【００２１】
具体的には、信号レベル調整装置１は、図１（ａ）〜（ｃ）に示す筐体１０の外部において、図２に示す受信アンテナ（図示省略）からの放送用信号の入力を受け付けるために、当該受信アンテナと同軸ケーブル１ａを介して接続されている。また、信号レベル調整装置１は、図２に示す送信アンテナ（図示省略）に放送用信号を出力するために、当該送信アンテナと同軸ケーブル１ｂを介して接続されている。また、信号レベル調整装置１は、商用電源（図示省略）から電力を受電するために、当該商用電源と電源ケーブル１ｃを介して接続されている。
【００２２】
また、信号レベル調整装置１は、図１（ｂ）、図２に示す筐体１０の底面において、後述する光ガイド部１１ｄを介して当該筐体１０の外部から視認可能に設けられた第１の表示部２０と、後述する光ガイド部１１ｅを介して当該筐体１０の外部から視認可能に設けられた第２の表示部２１とを備えている。
【００２３】
また、信号レベル調整装置１は、図２に示す筐体１０の内部において、図２に示す波形整形ユニット３０と、増幅ユニット４０と、インターフェースユニット５０と、コンバータユニット６０とを備えている。
【００２４】
（構成−筐体）
筐体１０は、信号レベル調整装置１の構造体であり、波形整形ユニット３０と、増幅ユニット４０と、インターフェースユニット５０とを外部から保護する保護手段である。具体的には、図１（ａ）〜（ｃ）、図２に示すように、筐体１０は、一側面を開放した略箱形状のベース部１１と、このベース部１１をその開放面側から略覆うカバー部１２とを備えて構成されており、カバー部１２はその上端部近傍位置においてベース部１１に対して回動自在に軸支されている。
【００２５】
また、ベース部１１には、開口１１ａ、１１ｂ、１１ｃと、光ガイド部１１ｄ、１１ｅと、懸架部１１ｆと、ネジ止め部（図示省略）とが設けられている。
【００２６】
開口１１ａは、筐体１０の内部に設けられた入力端子（図示省略）に同軸ケーブル１ａを接続するために、筐体１０の外部から同軸ケーブル１ａを引き込むための開口である。
【００２７】
開口１１ｂは、筐体１０の内部に設けられた出力端子（図示省略）に同軸ケーブル１ｂを接続するために、筐体１０の外部から同軸ケーブル１ｂを引き込むための開口である。
【００２８】
開口１１ｃは、筐体１０の内部に設けられた受電端子（図示省略）に電源ケーブル１ｃを接続するために、筐体１０の外部から電源ケーブル１ｃを引き込むための開口である。
【００２９】
光ガイド部１１ｄは、第１の表示部２０から入射された入射光Ｌを筐体の外部に出射させるための光ガイド手段であり、具体的には、略中空管状に形成されており、筐体１０の底面において、第１の表示部２０と対応する位置に配置されている。ここで、この光ガイド部１１ｄの構成については、光ガイド部１１ｄの製造が容易となるように、例えば、筐体１０と一体に形成されている。また、この光ガイド部１１ｄの内側部分は、透明又は半透明の樹脂材にて形成されており、当該内側部分における光の出射側の端面において、第１の表示部２０から入射された入射光Ｌが反射又は屈折することにより、作業者が筐体１０の外部から第１の表示部２０の発光状態を視認できるように構成されている。なお、この光ガイド部１１ｄの内側空間に収容されている内部機器（例えば後述するハーフミラー１３等）は、例えば防水加工されていることが望ましい（なお、光ガイド部１１ｅについても同様とする）。
【００３０】
光ガイド部１１ｅは、第２の表示部２１から入射された入射光Ｌを筐体１０の外部に出射させるための光ガイド手段であり、具体的には、略中空管状に形成されており、筐体１０の底面において、第２の表示部２１と対応する位置に配置されている。
【００３１】
懸架部１１ｆは、設置対象Ｗがワイヤである場合に、筐体１０を当該ワイヤに懸架するための懸架手段であり、具体的には、略フック状に形成されており、筐体１０の上端部に配置されている。
【００３２】
ネジ止め部は、設置対象Ｗが設置柱である場合に、筐体１０を当該設置柱に取り付けるための取付金具８０（具体的には、後述する図５、６に示すように、板状体である取付金具８０）を、筐体１０に対してネジ止めするためのネジ止め手段であり、筐体１０の背面に配置されている。
【００３３】
（構成−第１の表示部）
第１の表示部２０は、後述する波形整形ユニット３０の第１の検出部の検出結果に関する情報を表示する表示手段であり、具体的には、図２に示すように、公知のＬＥＤ等で構成されており、後述する波形整形ユニット３０の回路基板に対してはんだ付によって取り付けられている。
【００３４】
（構成−第２の表示部）
第２の表示部２１は、後述する増幅ユニット４０の第２の検出部の検出結果に関する情報を表示する表示手段であり、具体的には、図２に示すように、公知のＬＥＤ等で構成されており、後述する増幅ユニット４０の回路基板に対してはんだ付によって取り付けられている。
【００３５】
（構成−波形整形ユニット）
波形整形ユニット３０は、受信アンテナにて受信された放送用信号の波形整形を行うユニットである。具体的には、図２に示すように、波形整形ユニット３０は、筐体３１の外部において、入力端子からの放送用信号の入力を受け付けるために、当該入力端子と内部線路７０を介して接続されている。また、この波形整形ユニット３０は、当該波形整形ユニット３０にて波形整形された放送用信号を増幅ユニット４０に出力するために、当該増幅ユニット４０と内部線路７１を介して接続されている。また、この波形整形ユニット３０は、コンバータユニット６０からインターフェースユニット５０を介して電力（具体的には、直流電力）の入力を受け付けるために、当該インターフェースユニット５０と内部線路７２を介して接続されている。また、この波形整形ユニット３０は、筐体３１の内部において、回路基板（図示省略）を収容して構成されている。
【００３６】
（構成−波形整形ユニット−筐体）
筐体３１は、波形整形ユニット３０の構造体であり、回路基板を外部から保護する保護手段である。具体的には、図２に示すように、筐体３１は、略直方体形状の中空体にて形成されており、筐体１０のベース部１１に配置されている。
【００３７】
また、この筐体３１には、位置合わせ部３１ｅが設けられている。図３は、図２における領域Ａの拡大図である。位置合わせ部３１ｅは、第１の表示部２０が光ガイド部１１ｄと対応する位置に配置されるように、この筐体３１の位置合わせを行うための位置合わせ手段である。具体的には、図２、図３に示すように、位置合わせ部３１ｅは、略方形状の板状体であり、筐体３１の底面におけるＹ方向の端部の一方から外側に張り出すように、当該筐体３１の底面と一体に形成されている。また、この位置合わせ部３１ｅは、筐体３１の底面よりも筐体１０のベース部１１の光ガイド部１１ｄ側とは反対側の位置に配置され、筐体１０のベース部１１と位置合わせ用のネジＳのヘッド部分との相互間に挟み込まれることで固定されている。また、この位置合わせ部３１ｅの第１の表示部２０側とは反対側の端部には、切欠部３１ｆが設けられている。この切欠部３１ｆは、例えば、図３に示すように、位置合わせ用のネジＳのシャンク部分の外縁の少なくとも一部とほぼ同一の形状にて形成されており、第１の表示部２０が光ガイド部１１ｄと対向するように筐体３１が配置された状態において、筐体１０のベース部１１に設けられた図示しないネジ孔に対応する位置に、形成されている（後述する切欠部４１ｆについても同様とする）。従って、切欠部３１ｆを介して位置合わせ用のネジＳをベース部１１のネジ孔に螺合させることで、第１の表示部２０が光ガイド部１１ｄと対向するように筐体３１が配置されることになり、第１の表示部２０を光ガイド部１１ｄと対応する位置に容易かつ正確に配置することができる（後述する位置合わせ部４１ｅについても同様とする）。このように位置合わせ用のネジＳを螺合した状態においては、位置合わせ用のネジＳのシャンク部分が位置合わせ部３１ｅに当接することによって、筐体３１のＸ方向への移動を拘束することができる。また、位置合わせ用のネジＳを螺合した状態においては、第１の表示部２０と光ガイド部１１ｄとが当接することに加えて、位置合わせ用のネジＳのシャンク部分が位置合わせ部３１ｅに当接することによって、筐体３１のＹ方向への移動を拘束することができる。従って、第１の表示部２０を光ガイド部１１ｄと対応する位置に持続的に固定することができる。
【００３８】
（構成−波形整形ユニット−回路基板）
回路基板は、波形整形ユニット３０の各種機能を実現するための電気回路（図示省略）が実装された基板であり、具体的には、回路基板には、従来の波形整形ユニットに用いられるものと同様の公知の電子部品が実装されていると共に、第１の検出部（図示省略）も実装されている。ここで、第１の検出部は、波形整形ユニット３０における放送用信号の入力状態を検出する第１の検出手段であり、内部線路７０における波形整形ユニット３０の入力端子側の端部近傍に接続されている。
【００３９】
（構成−増幅ユニット）
増幅ユニット４０は、波形整形ユニット３０にて波形整形された放送用信号を増幅するユニットである。具体的には、図２に示すように、増幅ユニット４０は、筐体４１の外部において、波形整形ユニット３０からの放送用信号の入力を受け付けるために、当該波形整形ユニット３０と内部線路７１を介して接続されている。また、この増幅ユニット４０は、当該増幅ユニット４０にて増幅された放送用信号を出力端子に出力するために、当該出力端子と内部線路７３を介して接続されている。また、この増幅ユニット４０は、コンバータユニット６０からインターフェースユニット５０を介して電力（具体的には、直流電力）の入力を受け付けるために、当該インターフェースユニット５０と内部線路７４を介して接続されている。また、この増幅ユニット４０は、筐体４１の内部において、回路基板（図示省略）を収容して構成されている。
【００４０】
（構成−増幅ユニット−筐体）
筐体４１は、増幅ユニット４０の構造体であり、回路基板を外部から保護する保護手段であり、具体的には、図２に示すように、筐体４１は、略直方体形状の中空体にて形成されており、筐体１０のベース部１１において、波形整形ユニット３０の筐体３１に対してＸ方向に沿って並設されている。
【００４１】
また、この筐体４１には、位置合わせ部４１ｅが設けられている。位置合わせ部４１ｅは、第２の表示部２１が光ガイド部１１ｅと対応する位置に配置されるように、この筐体４１の位置合わせを行うための位置合わせ手段である。具体的には、図２に示すように、位置合わせ部４１ｅは、略方形状の板状体であり、筐体４１の底面におけるＹ方向の端部の一方から外側に張り出すように、当該筐体４１の底面と一体に形成されている。また、この位置合わせ部４１ｅは、筐体４１の底面よりも筐体１０のベース部１１の光ガイド部１１ｅ側とは反対側の位置に配置され、筐体１０のベース部１１と位置合わせ用のネジＳのヘッド部分に挟み込まれることで固定されている。また、位置合わせ部４１ｅの第２の表示部２１側とは反対側の端部には、切欠部４１ｆが設けられている。
【００４２】
（構成−増幅ユニット−回路基板）
回路基板は、増幅ユニット４０の各種機能を実現するための電気回路（図示省略）が実装された基板であり、具体的には、回路基板には、従来の増幅ユニットに用いられるものと同様の公知の電子部品が実装されていると共に、第２の検出部（図示省略）が実装されている。ここで、第２の検出部は、増幅ユニット４０における放送用信号の出力状態を検出する第２の検出手段であり、内部線路７３における増幅ユニット４０の出力端子側の端部近傍に接続されている。
【００４３】
（構成−インターフェースユニット）
インターフェースユニット５０は、波形整形ユニット３０、増幅ユニット４０、及びコンバータユニット６０における信号や電力のやりとりを行うためのユニットである。具体的には、図２に示すように、インターフェースユニット５０は、筐体５１の外部において、商用電源からの電力（具体的には、交流電力）の入力を受電端子を介して受け付けるために、当該受電端子と内部線路７５を介して接続されている。また、このインターフェースユニット５０は、受電端子から入力された電力をコンバータユニット６０に出力するために、当該コンバータユニット６０と内部線路７６を介して接続されている。また、このインターフェースユニット５０は、コンバータユニット６０からの電力（具体的には、直流電力）の入力を受け付けるために、当該コンバータユニット６０と内部線路７７を介して接続されている。また、このインターフェースユニット５０は、コンバータユニット６０から入力された電力を波形整形ユニット３０に出力するために、当該波形整形ユニット３０と内部線路７２を介して接続されている。また、このインターフェースユニット５０は、コンバータユニット６０から入力された電力を増幅ユニット４０に出力するために、当該増幅ユニット４０と内部線路７４を介して接続されている。また、このインターフェースユニット５０は、筐体５１の内部において、回路基板（図示省略）を収容して構成されている。
【００４４】
（構成−インターフェースユニット−筐体）
筐体５１は、インターフェースユニット５０の構造体であり、回路基板を外部から保護する保護手段である。具体的には、図２に示すように、筐体５１は、略直方体形状の中空体にて形成されており、筐体１０のカバー部１２に配置され、当該筐体１０のカバー部１２に対して固定具等によって固定されている。
【００４５】
（構成−インターフェースユニット−回路基板）
回路基板は、インターフェースユニット５０の各種機能を実現するための電気回路（図示省略）が実装された基板であり、具体的には、回路基板には、従来のインターフェースユニットに用いられるものと同様の公知の電子部品が実装されている。
【００４６】
（構成−コンバータユニット）
コンバータユニット６０は、商用電源からインターフェースユニット５０を介して取得した電力を、交流から直流に変換するユニットである。具体的には、図２に示すように、コンバータユニット６０は、筐体６１の外部において、インターフェースユニット５０からの電力（具体的には、交流電力）の入力を受け付けるために、インターフェースユニット５０と内部線路７６を介して接続されている。また、このコンバータユニット６０は、コンバータユニット６０にて変換された電力（具体的には、直流電力）をインターフェースユニット５０に出力するために、当該インターフェースユニット５０と内部線路７７を介して接続されている。また、このコンバータユニット６０は、筐体６１の内部において、回路基板（図示省略）を収容して構成されている。
【００４７】
（構成−コンバータユニット−筐体）
筐体６１は、コンバータユニット６０の構造体であり、回路基板を外部から保護する保護手段である。具体的には、図２に示すように、筐体６１は、略直方体形状の中空体にて形成されており、筐体１０のカバー部１２において、インターフェースユニット５０の筐体５１に対してＸ方向に沿って並設され、当該筐体１０のカバー部１２に対して固定具等によって固定されている。
【００４８】
（構成−コンバータユニット−回路基板）
回路基板は、コンバータユニット６０の各種機能を実現するための電気回路（図示省略）が実装された基板であり、具体的には、この回路基板には、従来のコンバータユニットに用いられるものと同様の公知の電子部品が実装されている。
【００４９】
（構成−筐体の構成について）
ここで、筐体１０の構成においては、下記に示す工夫が施されている。以下、この筐体１０の構成について説明する。図４は、図２における領域Ｂの拡大図（一部破断）である。
【００５０】
上述したように、光ガイド部１１ｄ、１１ｅが筐体１０の底面に配置されているので、この筐体１０の底面が信号レベル調整装置１の下方向を向くように、信号レベル調整装置１が設置対象Ｗに固定された場合（具体的には、信号レベル調整装置１が後述する横置き状態で固定された場合）には、作業者は地上から第１の表示部２０、及び第２の表示部２１の点灯又は点滅を確認することができる。しかしながら、この筐体１０の底面が信号レベル調整装置１の下方向以外の方向（例えば、信号レベル調整装置１の左方向又は右方向等）を向くように、信号レベル調整装置１が設置対象Ｗに固定された場合（具体的には、信号レベル調整装置１が後述する縦置き状態で固定された場合）には、作業者は地上から第１の表示部２０、及び第２の表示部２１の点灯又は点滅を確認することが困難となる。そこで、実施の形態１では、信号レベル調整装置１が様々な設置態様で設置された場合でも、作業者が第１の表示部２０及び第２の表示部２１の表示態様を視認することができるように、この筐体１０は構成されている。
【００５１】
具体的には、筐体１０には、各表示部にハーフミラー１３が設けられている。ハーフミラー１３は、第１の表示部２０（又は第２の表示部２１）から入射された入射光Ｌを、第１の方向に沿って進行する第１の光Ｌ１として透過し、第１の方向とは異なる第２の方向に沿って進行する第２の光Ｌ２として反射する光分割手段である。より具体的には、図４に示すように、ハーフミラー１３は、公知のハーフミラーにて形成されており、光ガイド部１１ｄの内部において第１の表示部２０における光の入射方向に対して斜めに配置され、固定具又は接着剤等によって光ガイド部１１ｄに対して固定されている。そして、ハーフミラー１３の設置角度については、図４に示すように、第２の方向が第１の方向に対して略直交する角度に設定されている。このような構成により、第１の表示部２０（又は第２の表示部２１）から入射された入射光Ｌを、第１の光Ｌ１と、第２の光Ｌ２とに効果的に分割することができる。
【００５２】
また、ハーフミラー１３にて透過された第１の光Ｌ１と、ハーフミラー１３にて反射された第２の光Ｌ２とを筐体１０の外部に出射させるために、光ガイド部１１ｄ、１１ｅにも下記に示す工夫が施されている。
【００５３】
具体的には、光ガイド部１１ｄ、１１ｅの各々は、第１の光出射口１４と、第２の光出射口１５とを備えている。
【００５４】
第１の光出射口１４は、ハーフミラー１３にて透過された第１の光Ｌ１を第１の方向に沿って筐体１０の外部に出射させるための開口である。より具体的には、図４に示すように、第１の光出射口１４は、略円形状（あるいは、略方形状）にて形成されており、光ガイド部１１ｄにおける光の出射側の端部において、ハーフミラー１３にて透過された第１の光Ｌ１の第１の方向と対向する位置に形成されている。ここで、第１の光出射口１４の形成位置については、第１の光Ｌ１が筐体１０の外部に効果的に出射されるように、例えば、図４に示すように、第１の光出射口１４は、当該第１の光出射口１４の中心がハーフミラー１３の中心からＹ方向に沿った直線上に位置するように形成される。
【００５５】
第２の光出射口１５は、ハーフミラー１３にて反射された第２の光Ｌ２を第２の方向に沿って筐体１０の外部に出射させるための開口である。より具体的には、図４に示すように、第２の光出射口１５は、略円形状（あるいは、略方形状）にて形成されており、光ガイド部１１ｄにおける光の出射側の端部において、ハーフミラー１３にて反射された第２の光Ｌ２の第２の方向と対向する位置に形成されている。ここで、第２の光出射口１５の形成位置については、第２の光Ｌ２が筐体１０の外部に効果的に出射されるように、例えば、図４に示すように、第２の光出射口１５は、当該第２の光出射口１５がハーフミラー１３の中心と対向する位置に形成される。
【００５６】
このような構成により、第１の光Ｌ１を第１の方向に沿って筐体１０の外部に出射させることができると共に、第２の光Ｌ２を第２の方向に沿って筐体１０の外部に出射させることができ、信号レベル調整装置１が様々な設置態様で設置された場合でも、作業者は第１の表示部２０及び第２の表示部２１の表示態様を視認することができる。また、第１の光出射口１４から第１の光Ｌ１を筐体１０の外部に出射させることができると共に、第２の光出射口１５から第２の光Ｌ２を筐体１０の外部に出射させることができる。
【００５７】
（取り付け方法）
次に、このように構成された信号レベル調整装置１の取り付け方法について説明する。図５は、後述する横置き状態で設置柱に取り付けられた信号レベル調整装置１を示す左側面図である。図６は、後述する縦置き状態で設置柱に取り付けられた信号レベル調整装置１を示す左側面図である。この信号レベル調整装置１の取り付け状態は、図１に示すように、信号レベル調整装置１が、Ｘ方向に略沿った設置対象Ｗであるワイヤに吊るされた状態である「ワイヤ吊り状態」と、図５、６に示すように、信号レベル調整装置１が、Ｙ方向に略沿った設置対象Ｗである設置柱に固定された状態である「設置柱固定状態」との２つの方法に区分けされる。また、設置柱固定状態においては、図５に示すように、信号レベル調整装置１が、筐体１０の正面の長手方向がＸ方向に略沿うように取り付けられた状態である「横置き状態」と、図６に示すように、信号レベル調整装置１が、筐体１０の正面の長手方向がＹ方向に略沿うように取り付けられた状態である「縦置き状態」との２つの方法に区分けされる。なお、ワイヤ吊り状態と横置き状態とは、特許請求の範囲における「第１の固定状態」に対応し、縦置き状態は、特許請求の範囲における「第２の固定状態」に対応する。
【００５８】
（取り付け方法−ワイヤ吊り状態）
最初に、ワイヤ吊り状態の取り付け方法について説明する。筐体１０の正面の長手方向がＸ方向に略沿うように、信号レベル調整装置１を電柱に対してＸ方向に沿って接続されたワイヤに固定する。具体的には、図１に示すように、筐体１０の側面のうち光ガイド部１１ｄ、１１ｅが設けられた側面が信号レベル調整装置１の下方向を向くように（より具体的には、ハーフミラー１３にて透過された第１の光Ｌ１の第１の方向が、信号レベル調整装置１の下方向となるように）、筐体１０のベース部１１に設けられた懸架部１１ｆにワイヤを挿通して、筐体１０をワイヤに固定する。ここで、「信号レベル調整装置の下方向」とは、信号レベル調整装置１の鉛直下方向と、信号レベル調整装置１の斜め下方向とを含む概念である。
【００５９】
次に、同軸ケーブル１ａを、信号レベル調整装置１の入力端子に接続すると共に、同軸ケーブル１ｂを、信号レベル調整装置１の出力端子に接続する。また、電源ケーブル１ｃを、信号レベル調整装置１の受電端子に接続する（後述する設置柱固定状態の取り付け方法についても同様であるので、以下の説明では省略する）。
【００６０】
このように、ワイヤ吊り状態の取り付け方法では、ハーフミラー１３にて透過された第１の光Ｌ１の第１の方向を、信号レベル調整装置１の下方向としたので、信号レベル調整装置１が高所に設置された場合でも、作業者は地上から第１の表示部２０及び第２の表示部２１の表示態様を視認することができる。
【００６１】
（取り付け方法−設置柱固定状態−横置き状態）
次に、設置柱固定状態の取り付け方法のうち、横置き状態の取り付け方法について説明する。図５に示すように、筐体１０の正面の長手方向がＸ方向に略沿うように、信号レベル調整装置１を設置柱に固定する。具体的には、筐体１０の側面のうち光ガイド部１１ｄ、１１ｅが設けられた側面が信号レベル調整装置１の下方向を向くように（より具体的には、ハーフミラー１３にて透過された第１の光Ｌ１の第１の方向が、信号レベル調整装置１の下方向となるように）、筐体１０におけるベース部１１の背面に、取付金具８０を当接させる。次いで、取付金具８０における信号レベル調整装置１側とは反対側の側面から、固定ネジを筐体１０におけるベース部１１の背面に設けられたネジ止め部に挿通して締め付けることにより、筐体１０を取付金具８０に固定する。そして、この取付金具８０を設置柱に対して固定バンド９０によって締め付けることにより固定する。
【００６２】
（取り付け方法−設置柱固定状態−縦置き状態）
次に、設置柱固定状態の取り付け方法のうち、縦置き状態の取り付け方法について説明する。図６に示すように、筐体１０の正面の長手方向がＹ方向に略沿うように、信号レベル調整装置１を設置柱に固定する。具体的には、筐体１０の側面のうち光ガイド部１１ｄ、１１ｅが設けられた側面が信号レベル調整装置１の左方向（又は、右方向）を向くように（より具体的には、ハーフミラー１３にて反射された第２の光Ｌ２の第２の方向が、信号レベル調整装置１の下方向となるように）、筐体１０におけるベース部１１の背面に、取付金具８０を当接させる。次いで、取付金具８０における信号レベル調整装置１側とは反対側の側面から、固定ネジを筐体１０におけるベース部１１の背面に設けられたネジ止め部に挿通して締め付けることにより、筐体１０を取付金具８０に固定する。そして、この取付金具８０を設置柱に対して固定バンド９０によって締め付けることにより固定する。
【００６３】
このように、設置柱固定状態の取り付け方法のうち、横置き状態の取り付け方法では、ハーフミラー１３にて透過された第１の光Ｌ１の第１の方向を、信号レベル調整装置１の下方向とし、縦置き状態の取り付け方法では、ハーフミラー１３にて反射された第２の光Ｌ２の第２の方向を、信号レベル調整装置１の下方向としたので、これらのいずれの取り付け方法によって信号レベル調整装置１が高所に設置された場合でも、作業者は地上から第１の表示部２０及び第２の表示部２１の表示態様を視認することができる。
【００６４】
（効果）
このように実施の形態１によれば、ハーフミラー１３は、第１の表示部２０（又は第２の表示部２１）から入射された入射光Ｌを、第１の方向に沿って進行する第１の光Ｌ１として透過し、第１の方向とは異なる第２の方向に沿って進行する第２の光Ｌ２として反射し、光ガイド部１１ｄ、１１ｅの各々は、ハーフミラー１３にて透過された第１の光Ｌ１を、第１の光出射口１４を介して第１の方向に沿って筐体１０の外部に出射させると共に、ハーフミラー１３にて反射された第２の光Ｌ２を、第２の光出射口１５を介して第２の方向に沿って筐体１０の外部に出射させるので、第１の光Ｌ１を第１の方向に沿って筐体１０の外部に出射させることができると共に、第２の光Ｌ２を第２の方向に沿って筐体１０の外部に出射させることができる。これにより、信号レベル調整装置１が様々な設置態様で設置された場合でも、作業者は第１の表示部２０及び第２の表示部２１の表示態様を視認することができる。
【００６５】
また、ワイヤ吊り状態と横置き状態における第１の方向と、縦置き状態における第２の方向とを、信号レベル調整装置１の下方向としたので、ワイヤ吊り状態、横置き状態、又は縦置き状態の取り付け方法によって信号レベル調整装置１が高所に設置された場合でも、作業者は地上から第１の表示部２０及び第２の表示部２１の表示態様を視認することができ、信号レベル調整装置１の故障の有無を簡易に調べることができる。
【００６６】
また、光分割手段は、ハーフミラー１３であるので、第１の表示部２０（又は第２の表示部２１）から入射された入射光Ｌを、第１の光Ｌ１と、第２の光Ｌ２とに効果的に分割することができる。また、光ガイド部１１ｄ、１１ｅの各々は、第１の光出射口１４と第２の光出射口１５とを備えているので、第１の光出射口１４から第１の光Ｌ１を筐体１０の外部に出射させることができると共に、第２の光出射口１５から第２の光Ｌ２を筐体１０の外部に出射させることができる。
【００６７】
〔実施の形態２〕
次に、実施の形態２について説明する。この形態は、光分割手段が光ガイド手段の一部を切り欠くことにより形成された切欠部である形態である。なお、特に説明なき構造については、実施の形態１の構造と同様であり、実施の形態１と略同様の構成要素、及び取り付け方法については、必要に応じて、実施の形態１で用いたのと同一の符号又は名称を付してその説明を省略する。
【００６８】
（構成）
まず、信号レベル調整装置の構成について説明する。図７は、実施の形態２に係る図２における領域Ｂの拡大図（一部破断）である。図７に示すように、実施の形態２に係る信号レベル調整装置１は、実施の形態１に係る信号レベル調整装置１とほぼ同様に構成されている。ただし、筐体１０の構成については、下記に示す工夫が施されている。
【００６９】
（構成−筐体の構成について）
上述したように、実施の形態１では、ハーフミラー１３が光ガイド部１１ｄ、１１ｅの内部に設けられているため、ハーフミラー１３の取り付け作業が必要となるので、信号レベル調整装置１の組立に手間を要する。そこで、実施の形態２では、信号レベル調整装置１の組立を一層簡易に行うことができるように、この筐体１０は構成されている。
【００７０】
具体的には、筐体１０には、表示部の数に応じて切欠部１６が設けられている（実施の形態２では、２つ設けられている）。切欠部１６は、第１の表示部２０（又は第２の表示部２１）から入射された入射光Ｌの一部を、第２の光Ｌ２として反射する光分割手段である。より具体的には、図７に示すように、この切欠部１６は、光ガイド部１１ｄにおける光の出射側の端部を切り欠くことにより形成されている。また、この切欠部１６の形状については、例えば、第１の表示部２０から入射される入射光Ｌの反射効率を高めるために、切欠部１６の山部又は谷部がＹ方向に対して傾くように、切欠部１６が形成されてもよい。このような構成により、第１の表示部２０（又は第２の表示部２１）から入射された入射光Ｌを、光ガイド部１１ｄ（又は光ガイド部１１ｅ）にて導光された第１の光Ｌ１と、切欠部１６にて反射された第２の光Ｌ２とに分割することができる。また、切欠部１６を、光ガイド部１１ｄ（又は光ガイド部１１ｅ）における光の出射側の端部を切り欠くことにより形成したので、光ガイド手段と光分割手段とを一体構造にすることができ、実施の形態１に比べて光分割手段の取り付け作業を省くことができる。
【００７１】
また、光ガイド部１１ｄ、１１ｅにて導光された第１の光Ｌ１と、切欠部１６にて反射された第２の光Ｌ２とを筐体１０の外部に出射させるために、光ガイド部１１ｄ、１１ｅにも下記に示す工夫が施されている。
【００７２】
具体的には、光ガイド部１１ｄ、１１ｅの各々は、光出射口１７を備えている。光出射口１７は、光ガイド部１１ｄ（又は光ガイド部１１ｅ）にて導光された第１の光Ｌ１を第１の方向に沿って筐体１０の外部に出射させると共に、切欠部１６にて反射された第２の光Ｌ２を第２の方向に沿って筐体１０の外部に出射させるための開口である。より具体的には、図７に示すように、この光出射口１７は、光ガイド部１１ｄの光の入射側の端部から見て略円形状（あるいは、略方形状）にて形成され、光ガイド部１１ｄにおける光の出射側の端部に形成されている。また、この光出射口１７の構成については、切欠部１６にて反射された第２の光Ｌ２を効率良く第２の方向に沿って出射させるために、図７に示すように、光出射口１７は、当該光出射口１７が第１の方向及び第２の方向に対向するように、Ｘ方向に対して傾斜する傾斜面として形成されている。ここで、光出射口１７の傾斜角度については、第１の光Ｌ１と第２の光Ｌ２とが均一な光で筐体１０の外部に出射されるように、例えば、図７に示すように、光出射口１７のＸ方向の長さと光出射口１７のＹ方向の長さとが略同一になる角度（具体的には、Ｘ方向に対して約４５°）に設定される。このような構成により、第１の光Ｌ１を第１の方向に沿って筐体１０の外部に出射させることができると共に、第２の光Ｌ２を第２の方向に沿って筐体１０の外部に出射させることができ、信号レベル調整装置１が様々な設置態様で設置された場合でも、作業者は第１の表示部２０及び第２の表示部２１の表示態様を視認することができる。また、光出射口１７から第１の光Ｌ１及び第２の光Ｌ２を筐体１０の外部に出射させることができ、ハーフミラー１３を用いた構造に比べて、光ガイド部１１ｄ、１１ｅを簡易な構造にすることができる。
【００７３】
（効果）
このように実施の形態２によれば、切欠部１６は、第１の表示部２０（又は第２の表示部２１）から入射された入射光Ｌの一部を、第２の光Ｌ２として反射し、光ガイド部１１ｄ（又は光ガイド部１１ｅ）は、当該光ガイド部１１ｄ（又は光ガイド部１１ｅ）にて導光された第１の光Ｌ１を、光出射口１７を介して第１の方向に沿って筐体１０の外部に出射させると共に、切欠部１６にて反射された第２の光Ｌ２を、光出射口１７を介して第２の方向に沿って筐体１０の外部に出射させるので、第１の光Ｌ１を第１の方向に沿って筐体１０の外部に出射させることができると共に、第２の光Ｌ２を第２の方向に沿って筐体１０の外部に出射させることができる。これにより、信号レベル調整装置１が様々な設置態様で設置された場合でも、作業者は第１の表示部２０及び第２の表示部２１の表示態様を視認することができる。
【００７４】
また、光分割手段は、光ガイド部１１ｄ（又は光ガイド部１１ｅ）における光の出射側の端部を切り欠くことにより形成された切欠部１６であるので、光ガイド手段と光分割手段とを一体構造にすることができる。よって、実施の形態１に比べて光分割手段の取り付け作業を省くことができ、信号レベル調整装置１の組立を一層簡易に行うことができる。また、光ガイド部１１ｄ、１１ｅの各々は、光出射口１７を備えているので、光出射口１７から第１の光Ｌ１及び第２の光Ｌ２を筐体１０の外部に出射させることができ、ハーフミラー１３を用いた構造に比べて、光ガイド部１１ｄ、１１ｅを簡易な構造にすることができる。
【００７５】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００７６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。光分割手段によって、第１の表示部２０（又は第２の表示部２１）から入射された入射光Ｌを、第１の方向に沿って進行する第１の光Ｌ１と、第１の方向とは異なる第２の方向に沿って進行する第２の光Ｌ２とに正確に分割することができない場合であっても、第１の表示部２０（又は第２の表示部２１）から入射された入射光Ｌの分割を、従来とは異なる技術により従来と同様に達成できている場合には、本願発明の課題が解決されている。
【００７７】
（信号レベル調整装置の構成について）
上記実施の形態１、２では、信号レベル調整装置１は、波形整形ユニット３０と、増幅ユニット４０と、インターフェースユニット５０と、コンバータユニット６０とを備えていると説明したが、例えば、これら構成要素以外に、上記増幅ユニット４０とは異なる増幅ユニットや、放送用信号のうち、所定帯域の信号のみを出力するフィルタユニット等を備えてもよい。この場合において、例えば、第１の検出部によって、上記増幅ユニット４０とは異なる増幅ユニットの放送用信号の入力状態又は出力状態を検出させ、当該検出した結果を第１の表示部２０に表示させてもよい。
【００７８】
（第１の表示部及び第２の表示部の配置について）
上記実施の形態１、２では、第１の表示部２０及び第２の表示部２１は、筐体１０の底面に設けられていると説明したが、例えば、筐体１０の底面以外の側面（例えば、右側面、左側面、前面、後面、上面等）に設けられてもよい。
【００７９】
（第１の検出部及び第２の検出部について）
上記実施の形態１、２では、第１の検出部は、波形整形ユニット３０における放送用信号の入力状態を検出し、第２の検出部は、増幅ユニット４０における放送用信号の出力状態を検出すると説明したが、これに限られない。例えば、第１の検出部は、波形整形ユニット３０における放送用信号の出力状態を検出し、第２の検出部は、増幅ユニット４０における放送用信号の入力状態を検出してもよい。
【００８０】
（ハーフミラーの設置角度について）
上記実施の形態１では、ハーフミラー１３の設置角度は、第２の方向が第１の方向に対して略直交する角度に設定されていると説明したが、これに限られない。第２の方向は、第１の方向と異なる方向であればよいので、例えば、ハーフミラー１３の設置角度は、第２の方向が第１の方向に対して時計回りに３０°傾けた角度に設定されてもよい。
【００８１】
（光出射口の構成について）
上記実施の形態２では、光出射口１７は、当該光出射口１７が第２の方向に対向するように、Ｘ方向に対して傾斜する傾斜面として形成されていると説明したが、例えば、光出射口１７は、Ｘ方向に対して略平行な断面として形成されてもよい。
【００８２】
また、上記実施の形態２では、光出射口１７の傾斜角度については、光出射口１７のＸ方向の長さと光出射口１７のＹ方向の長さとが略同一になる角度に設定されると説明したが、例えば、光出射口１７のＸ方向の長さが光出射口１７のＹ方向の長さよりも長くなる角度であってもよく、あるいは、光出射口１７のＸ方向の長さが光出射口１７のＹ方向の長さよりも短くなる角度であってもよい。
【００８３】
（取付金具８０の取り付け構造について）
上記実施の形態１、２では、取付金具８０は、設置柱に対して固定バンド９０によって締め付けられて固定されると説明したが、例えば、取付金具８０は、任意の取り付け構造にて設置柱に対して固定されてもよい。具体的には、上述した固定バンド９０に代えて、設置柱における取付金具８０側とは反対側の位置に設けられた連結プレートと、この連結プレートと取付金具８０との相互間の距離をゼロ調整するボルトとを用いて、連結プレートと取付金具８０とが、ボルトの締め付けによって設置柱を挟持することで、取付金具８０は設置柱に対して固定されてもよい。
【００８４】
（取り付け方法について）
上記実施の形態１、２では、設置柱固定状態の取り付け方法のうち、横置き状態の取り付け方法において、第１の光Ｌ１の第１の方向が、信号レベル調整装置１の下方向となるように、筐体１０におけるベース部１１の背面を取付金具８０に当接させ、縦置き状態の取り付け方法において、第２の光Ｌ２の第２の方向が、信号レベル調整装置１の下方向となるように、筐体１０におけるベース部１１の背面を取付金具８０に当接させると説明したが、これに限られない。例えば、作業者が信号レベル調整装置１と同じ高さの位置で第１の表示部２０及び第２の表示部２１の表示態様を視認する場合には、第１の光Ｌ１の第１の方向が、信号レベル調整装置１の左方向（又は、右方向）となるように、筐体１０におけるベース部１１の背面を取付金具８０に当接させ、縦置き状態の取り付け方法において、第２の光Ｌ２の第２の方向が、信号レベル調整装置１の左方向（又は、右方向）となるように、筐体１０におけるベース部１１の背面を取付金具８０に当接させてもよい。あるいは、作業者が信号レベル調整装置１よりも高い位置で第１の表示部２０及び第２の表示部２１の表示態様を視認する場合には、第１の光Ｌ１の第１の方向が、信号レベル調整装置１の上方向となるように、筐体１０におけるベース部１１の背面を取付金具８０に当接させ、縦置き状態の取り付け方法において、第２の光Ｌ２の第２の方向が、信号レベル調整装置１の上方向となるように、筐体１０におけるベース部１１の背面を取付金具８０に当接させてもよい。
【００８５】
（光ガイド部の構成について）
上記実施の形態１、２では、光ガイド部１１ｄ、１１ｅは、筐体１０と一体に形成されていると説明したが、例えば、筐体１０と別体に形成されてもよい。この場合において、光ガイド部１１ｄ、１１ｅの固定については、例えば、第１の光Ｌ１の向き又は第２の光Ｌ２の向きが変更可能に固定されてもよい。具体的には、光ガイド部１１ｄの外周に雄ネジ部が設けられると共に、筐体１０における光ガイド部１１ｄが挿入される挿入口の内周に雌ネジ部が設けられることにより、光ガイド部１１ｄはこの挿入口に対して螺合にて固定される（光ガイド部１１ｅについても同様とする）。あるいは、このような螺合構造に代えて、筐体１０に中空円筒状に形成した挿入スペースの内部に、光ガイド部１１ｄを回転摺動可能なように嵌合させてもよい。これらの構造により、光ガイド部１１ｄ、１１ｅの向きを変更可能とすることで、信号レベル調整装置１の設置方向に応じて、第１の光Ｌ１の向き又は第２の光Ｌ２の向きを容易に変更することが可能となる。
【符号の説明】
【００８６】
１  信号レベル調整装置
１ａ、１ｂ  同軸ケーブル
１ｃ  電源ケーブル
１０、３１、４１、５１、６１  筐体
１１  ベース部
１１ａ、１１ｂ、１１ｃ  開口
１１ｄ、１１ｅ  光ガイド部
１１ｆ  懸架部
１２  カバー部
１３  ハーフミラー
１４  第１の光出射口
１５  第２の光出射口
１６、３１ｆ、４１ｆ  切欠部
１７  光出射口
２０  第１の表示部
２１  第２の表示部
３０  波形整形ユニット
３１ｅ、４１ｅ  位置合わせ部
４０  増幅ユニット
５０  インターフェースユニット
６０  コンバータユニット
７０、７１、７２、７３、７４、７５、７６、７７  内部線路
８０  取付金具
９０  固定バンド
Ｌ  入射光
Ｌ１  第１の光
Ｌ２  第２の光
Ｓ  位置合わせ用のネジ
Ｗ  設置対象
【図１】
2014045340.tif 000003
【図２】
2014045340.tif 000004
【図３】
2014045340.tif 000005
【図４】
2014045340.tif 000006
【図５】
2014045340.tif 000007
【図６】
2014045340.tif 000008
【図７】
2014045340.tif 000009